(57)【要約】【課題】汎用性を有し、複数個の物品を収納できる包装体を提供する。【解決手段】物品収納部１７の開口部１０ｂからデジタルカメラ２２を入れた後、クリップ２４を用いて第１領域２６と第２領域２８を仕切る。この仕切り作業は、パイプ２９を用いて緩衝部１８，１９に空気を注入しながら行なう。開口部１０ｂからバッテリ充電器３０を第２領域２８に入れてから、緩衝部１８，１９に空気を注入しながら、クリップ２４で第２領域２８を閉じる。このように、２つの関連する物品である製品としてのデジタルカメラ２２と製品の付属品であるバッテリ充電器３０とを互いに干渉することなく１つの包装体１０に一緒に収納できるとともに、物品収納部１７の両端に連設され、空気が注入された緩衝部１８，１９により、搬送時等に外部から受ける衝撃からデジタルカメラ２２及びバッテリ充電器３０を護ることができる。【選択図】図６
2008074451.tif 000002
【特許請求の範囲】
【請求項１】
物品を収納する袋状の物品収納部と、
この周辺部の少なくとも一部に連設され、緩衝剤を封入して物品収納部に対する外部からの衝撃を和らげる袋状の緩衝部と
からなることを特徴とする包装体。
【請求項２】
前記緩衝部は、その物品の厚み方向の厚みが、前記物品収納部の厚みよりも大きいことを特徴とする請求項１記載の包装体。
【請求項３】
前記物品収納部と緩衝部との境界部は、シールにより形成されることを特徴とする請求項１または２記載の包装体。
【請求項４】
前記境界部は、波線状をしていることを特徴とする請求項３記載の包装体。
【請求項５】
前記境界部には、ミシン目が施されていることを特徴とする請求項３または４記載の包装体。
【請求項６】
前記物品収納部は、仕切りを設けることにより、複数個の物品を個別に仕切って収納することを特徴とする請求項１ないし５いずれか記載の包装体。
【請求項７】
前記複数個の物品は、製品とその付属品又は消耗品であることを特徴とする請求項６記載の包装体。
【請求項８】
前記仕切りは、前記物品収納部の一部を帯状にシールすることにより形成されることを特徴とする請求項６または７記載の包装体。
【請求項９】
前記仕切りは、前記物品収納部の一部を外側から帯状に挟み込む細長い把持部材によって形成されることを特徴とする請求項６または７記載の包装体。
【請求項１０】
前記仕切りは、前記物品収納部の一部を外側から絞って止める留め部材によって形成されることを特徴とする請求項６または７記載の包装体。
【請求項１１】
前記仕切りには、ミシン目が施されていることを特徴とする請求項８記載の包装体。
【請求項１２】
物品を収納する筒状の内袋と、
この内袋よりも径が大きく、前記内袋の外側に被せられる筒状の外袋と、
前記内袋と外袋の各一方の開口部を一緒に閉じた後、前記内袋に物品を収納するとともに、前記内袋と外袋との間に緩衝剤を封入して少なくとも外袋の他方の開口部を閉じることにより内袋と外袋との間に形成され、前記内袋内の物品に対する外部からの衝撃を和らげる緩衝部と
からなることを特徴とする包装体。
【請求項１３】
前記内袋の一部を外袋ごと帯状にシールすることにより内袋に仕切りを設け、前記内袋に複数個の物品を個別に仕切って収納することを特徴とする請求項１２記載の包装体。
【請求項１４】
前記複数個の物品は、製品とその付属品又は消耗品であることを特徴とする請求項１３記載の包装体。
【請求項１５】
前記内袋及び外袋の前記シールされた部分には、ミシン目が施されていることを特徴とする請求項１３または１４記載の包装体。
【請求項１６】
前記ミシン目の両端近傍の少なくとも内袋の各端部には、それぞれ切欠きが形成されていることを特徴とする請求項１５記載の包装体。
【請求項１７】
前記内袋には、前記シールされる予定の部位近傍に予めファスナーを形成したことを特徴とする請求項１３ないし１６いずれか記載の包装体。
【請求項１８】
袋状の物品収納部に、その開口部から物品を収納する第１行程と、
前記物品収納部の周辺部の少なくとも一部に連設され、前記物品収納部に対する外部からの衝撃を和らげる袋状の緩衝部に、その開口部から緩衝剤を注入するとともに、前記物品収納部から空気を吸い出して物品収納部及び緩衝部の各開口部を閉じる第２行程と
からなることを特徴とする包装体の製造方法。
【請求項１９】
前記請求項１記載の包装体を用いた包装体の製造方法において、
前記物品収納部に物品を収納する第１行程と、
前記物品収納部から空気を吸い出して物品収納部の物品が収納される領域を閉じる第２行程と、
前記第１，第２行程を１セットとして複数セットを繰り返した後、前記緩衝部に緩衝剤を注入してから緩衝部を密封することを特徴とする包装体の製造方法。
【請求項２０】
前記物品は、製品とその付属品又は消耗品であり、前記領域の各々には、製品とその付属品又は消耗品が１個ずつ個別に収納されることを特徴とする請求項１９記載の包装体の製造方法。
【請求項２１】
前記第２行程において、前記領域は、前記物品収納部の一部のシール，前記物品収納部の一部の細長い把持部材による挟み込み，前記物品収納部の一部の留め部材による絞り留めのいずれかによって閉じられることを特徴とする請求項１９または２０記載の包装体の製造方法。
【請求項２２】
前記シールされた部分にミシン目を施すことを特徴とする請求項２１記載の包装体の製造方法。
【請求項２３】
筒状の内袋をこれよりも径が大きい筒状の外袋の中に入れ、前記内袋及び外袋の各一方の開口部を一緒に閉じる第１行程と、
前記内袋の他方の開口部から内袋の中に物品を収納する第２行程と、
前記物品が収納された領域を閉じる第３行程と、
前記第２，第３行程を１セットとして複数セットを繰り返した後、前記内袋と外袋との隙間に緩衝剤を注入してから少なくとも外袋の他方の開口部を閉じることを特徴とする包装体の製造方法。
【請求項２４】
前記物品は、製品とその付属品又は消耗品であり、前記領域の各々には、製品とその付属品又は消耗品が１個ずつ個別に収納されることを特徴とする請求項２３記載の包装体の製造方法。
【請求項２５】
前記第３行程において、前記領域から空気を吸い出して前記領域を閉じることを特徴とする請求項２３または２４いずれか記載の包装体の製造方法。
【請求項２６】
前記第３行程において、前記領域を閉じる際には、前記外袋の幅よりも短く、かつ内袋の幅よりも長い帯状のシールを外袋の外側から施すことを特徴とする請求項２３ないし２５いずれか記載の包装体の製造方法。
【請求項２７】
前記シールされた部分には、ミシン目が施されていることを特徴とする請求項２６記載の包装体の製造方法。
【請求項２８】
前記内袋には、前記シールされる予定の部位近傍に予めファスナーを形成したことを特徴とする請求項２６または２７記載の包装体の製造方法。
【発明の詳細な説明】
【技術分野】
【０００１】
本発明は、包装体に関し、更に詳しくは物品を包装する包装体及びその製造方法に関するものである。
【背景技術】
【０００２】
精密電子機器（デジタルカメラや携帯電話や小型プリンタ等）などの物品を梱包する包装体としては、物品を上下から挟み込むように物品の外郭形状に合わせて形成した一対のパッドと、更に、この上下に被せられる段ボール製の補強板とからなる梱包用緩衝材が知られている（例えば特許文献１）。
【０００３】
また、二重構造の気密袋体に空気等の気体を注入することにより気密袋体が膨張し、内部に収納された物品を保護挟持する包装体が知られている（例えば特許文献２）。
【特許文献１】特開２００３−０６３５６９号公報
【特許文献２】登録実用新案第３０７８６４２号公報
【発明の開示】
【発明が解決しようとする課題】
【０００４】
上記特許文献１記載の梱包用緩衝材は、物品ごとに型取りをする必要があるため、汎用性がなく、コスト高である。また、上記特許文献２記載の包装体は、物品ごとに型取りをする必要がなく、種々の物品に適用可能であるが、例えば一緒に梱包するべき物品が複数個ある場合（例えばデジタルカメラと、この付属品であるバッテリ充電器，バッテリ，ＡＣコード等）には、物品同士が干渉し合って、傷ついたり、破損するおそれがある。
【０００５】
本発明は、上記のような問題点を解決するためになされたもので、汎用性を有し、複数個の物品をなんら問題なく収納できる包装体及びその製造方法を提供することを目的とする。
【課題を解決するための手段】
【０００６】
本発明の包装体は、物品を収納する袋状の物品収納部と、この周辺部の少なくとも一部に連設され、緩衝剤を封入して物品収納部に対する外部からの衝撃を和らげる袋状の緩衝部とからなることを特徴とする。また、前記緩衝部は、その物品の厚み方向の厚みが、前記物品収納部の厚みよりも大きいことを特徴とする。また、前記物品収納部と緩衝部との境界部は、シールにより形成されることを特徴とする。また、前記境界部は、波線状をしていることを特徴とする。また、前記境界部には、ミシン目が施されていることを特徴とする。
【０００７】
また、前記物品収納部は、仕切りを設けることにより、複数個の物品を個別に仕切って収納することを特徴とする。また、前記複数個の物品は、製品とその付属品又は消耗品であることを特徴とする。また、前記仕切りは、前記物品収納部の一部を帯状にシールすることにより形成されることを特徴とする。また、前記仕切りは、前記物品収納部の一部を外側から帯状に挟み込む細長い把持部材によって形成されることを特徴とする。また、前記仕切りは、前記物品収納部の一部を外側から絞って止める留め部材によって形成されることを特徴とする。また、前記仕切りには、ミシン目が施されていることを特徴とする。
【０００８】
また、物品を収納する筒状の内袋と、この内袋よりも径が大きく、前記内袋の外側に被せられる筒状の外袋と、前記内袋と外袋の各一方の開口部を一緒に閉じた後、前記内袋に物品を収納するとともに、前記内袋と外袋との間に緩衝剤を封入して少なくとも外袋の他方の開口部を閉じることにより内袋と外袋との間に形成され、前記内袋内の物品に対する外部からの衝撃を和らげる緩衝部とからなることを特徴とする。
【０００９】
また、前記内袋の一部を外袋ごと帯状にシールすることにより内袋に仕切りを設け、前記内袋に複数個の物品を個別に仕切って収納することを特徴とする。また、前記複数個の物品は、製品とその付属品又は消耗品であることを特徴とする。また、前記内袋及び外袋の前記シールされた部分には、ミシン目が施されていることを特徴とする。また、前記ミシン目の両端近傍の少なくとも内袋の各端部には、それぞれ切欠きが形成されていることを特徴とする。また、前記内袋には、前記シールされる予定の部位近傍に予めファスナーを形成したことを特徴とする。
【００１０】
本発明の包装体の製造方法は、袋状の物品収納部に、その開口部から物品を収納する第１行程と、前記物品収納部の周辺部の少なくとも一部に連設され、前記物品収納部に対する外部からの衝撃を和らげる袋状の緩衝部に、その開口部から緩衝剤を注入するとともに、前記物品収納部から空気を吸い出して物品収納部及び緩衝部の各開口部を閉じる第２行程とからなることを特徴とする。
【００１１】
また、前記請求項１記載の包装体を用いた包装体の製造方法において、前記物品収納部に物品を収納する第１行程と、前記物品収納部から空気を吸い出して物品収納部の物品が収納される領域を閉じる第２行程と、前記第１，第２行程を１セットとして複数セットを繰り返した後、前記緩衝部に緩衝剤を注入してから緩衝部を密封することを特徴とする。
【００１２】
また、前記物品は、製品とその付属品又は消耗品であり、前記領域の各々には、製品とその付属品又は消耗品が１個ずつ個別に収納されることを特徴とする。また、前記第２行程において、前記領域は、前記物品収納部の一部のシール，前記物品収納部の一部の細長い把持部材による挟み込み，前記物品収納部の一部の留め部材による絞り留めのいずれかによって閉じられることを特徴とする。また、前記シールされた部分にミシン目を施すことを特徴とする。
【００１３】
また、筒状の内袋をこれよりも径が大きい筒状の外袋の中に入れ、前記内袋及び外袋の各一方の開口部を一緒に閉じる第１行程と、前記内袋の他方の開口部から内袋の中に物品を収納する第２行程と、前記物品が収納された領域を閉じる第３行程と、前記第２，第３行程を１セットとして複数セットを繰り返した後、前記内袋と外袋との隙間に緩衝剤を注入してから少なくとも外袋の他方の開口部を閉じることを特徴とする。また、前記物品は、製品とその付属品又は消耗品であり、前記領域の各々には、製品とその付属品又は消耗品が１個ずつ個別に収納されることを特徴とする。また、前記第３行程において、前記領域から空気を吸い出して前記領域を閉じることを特徴とする。また、前記第３行程において、前記領域を閉じる際には、前記外袋の幅よりも短く、かつ内袋の幅よりも長い帯状のシールを外袋の外側から施すことを特徴とする。また、前記シールされた部分には、ミシン目が施されていることを特徴とする。また、前記内袋には、前記シールされる予定の部位近傍に予めファスナーを形成したことを特徴とする。
【発明の効果】
【００１４】
本発明の包装体及びその製造方法によれば、袋状の物品収納部の周辺部の少なくとも一部に、緩衝剤を封入して物品収納部に対する外部からの衝撃を和らげる袋状の緩衝部を設けたので、物品収納部は物品の形状に依存せず、様々な形状の物品をなんら損傷することがないように包装できる。また、前記緩衝部の物品の厚み方向の厚みを物品収納部の厚みよりも大きくしたので、物品の厚み方向への衝撃に対しても物品を保護することができる。また、前記物品収納部と緩衝部との境界部をシールにより形成したので、大量生産ラインへの適用性が高い。また、前記境界部を波線状としたので、物品をより安定して収納することができる。また、前記境界部にミシン目を施すので、包装体の分解が容易にできる。
【００１５】
また、前記物品収納部は、複数個の物品を個別に仕切って収納するので、物品同士が干渉し合って、傷ついたり、破損するおそれがなく、複数個の物品をなんら問題なく収納できる。また、前記複数個の物品は、製品とその付属品又は消耗品としたので、関連する物品を１個の包装体に一体的に包装でき、包装コストの低減にも寄与できる。また、仕切りを物品収納部の一部を帯状にシールすることにより形成するので、簡単に仕切りを形成することができる。また、仕切りを物品収納部の一部を外側から帯状に挟み込む細長い把持部材によって形成するので、簡単に仕切りを形成することができる。また、仕切りを物品収納部の一部を外側から絞って止める留め部材によって形成するので、簡単に仕切りを形成することができる。また、前記仕切りにミシン目を施すので、包装体の分解が容易にできる。
【００１６】
また、筒状の内袋と外袋の各一方の開口部を一緒に閉じた後、内袋に物品を収納するとともに、内袋と外袋との間に緩衝剤を封入して少なくとも外袋の他方の開口部を閉じることにより内袋と外袋との間に緩衝部を形成したので、内袋の周囲３６０°を外部からの衝撃から保護することができる。
【００１７】
また、前記内袋の一部を外袋ごと帯状にシールして仕切りを設け、この仕切り部分にミシン目を施すとともに、このミシン目の両端近傍の少なくとも内袋の各端部に切欠きを形成するので、より容易に包装体の分解を行なうことができる。また、内袋のシールされる予定の部位近傍に予めファスナーを形成したので、包装体を分解した後も物品を収納する袋として再利用できる。また、空気を抜いて物品を収納すると、物品をより安定させることができる。また、物品収納部と緩衝部とを共通する材料で形成するので、ローコストに製造できる。
【発明を実施するための最良の形態】
【００１８】
本発明の包装体の第１実施形態を図１〜図８を参照して説明する。なお、以下に示す符号ｓｔ１，２，・・・は、図８のフローチャートに示すステップ番号である。図１に示すように、包装体１０は、長尺の筒状の樹脂フィルムから形成され、これを後述する製品であるデジタルカメラと、製品の付属品であるバッテリ充電器とを収納するのに必要な長さに切断し、一方の開口部１０ａを所定の幅，例えば５ｍｍ幅で熱シールして閉じることにより、袋状としている。
【００１９】
そして、この熱シールによって形成された第１仕切り１２の両端から所定の幅，例えば３０ｍｍずつ内側の部位を、例えば５ｍｍ幅で包装体１０の長手方向に帯状に熱シールする。この熱シールによって溶着された帯状の溶着部１４，１５により、物品を収納する物品収納部１７と、一対の緩衝部１８，１９とが形成される（ｓｔ１）。
【００２０】
図２に示すように、前記物品収納部１７の開口部１０ｂからデジタルカメラ２２を物品収納部１７の奥まで入れる（ｓｔ２）。そして、図３に示すような細長い樹脂製の把持部材であるクリップ２４を用いて、図４に示すように、デジタルカメラ２２が収納された物品収納部１７の第１領域２６と、その上方の第２領域２８とを仕切る（ｓｔ３）。この仕切り作業は、パイプ２９を用いて緩衝部１８，１９に緩衝剤としての空気を注入しながら行ない、第１領域２６の両側にある緩衝部１８，１９の中間部もクリップ２４によって仕切られる。
【００２１】
なお、前記クリップ２４は、図３に示すように、松葉状をした本体２４ａの一端部に鉤状部２４ｂが形成され、他端部に爪部２４ｃが形成されており（Ａ）、これら両端部を合わせるようにして両サイドから強く押さえると、爪部２４ｃが鉤状部２４ｂに嵌合してロックされる（Ｂ）。
【００２２】
次に、図５に示すように、開口部１０ｂからバッテリ充電器３０を第２領域２８に入れる（ｓｔ４）。そして、緩衝部１８，１９に空気を注入しながら、図６に示すように、クリップ２４を用いて第２領域２８を閉じる（ｓｔ５）。このように、２つの関連する物品であるデジタルカメラ２２とバッテリ充電器３０とを互いに干渉することなく１つの包装体１０に一緒に収納できるとともに、物品収納部１７の両端に連設され、空気が注入された緩衝部１８，１９により、搬送時等に外部から受ける衝撃からデジタルカメラ２２及びバッテリ充電器３０を護ることができる。
【００２３】
また、包装体１０は、物品の形状に依存しないから、様々な形状の物品を包装できる。また、例えば「エアキャップ」（登録商標）は、２枚のポリエチレンシートから成り、一方のシートを成型した円柱状の突起の中に空気を閉じ込め、その空気圧で緩衝材の機能を実現しているが、始めから空気が入っているため、嵩張るという欠点がある。これに対し、包装体１０は、物品を収納するまで空気を入れておく必要がないから、嵩張らず、ストックしておくためのスペースが少なくて済む。
【００２４】
なお、本実施形態では、図７に示すように、緩衝部１８，１９の直径を物品収納部１７の厚みとほぼ同じになるようにしたが、図９に示すように、物品収納部１７の厚みよりも大きくしてもよい。このようにすると、物品収納部１７の側方からの衝撃ばかりでなく、厚み方向からの衝撃に対しても、より大きな緩衝効果を発揮できる。
【００２５】
前記クリップ２４の代わりに、図１０に示すように、ビニールコーティングした針金３４を用い、第１領域２６と第２領域２８との境界部や、第２領域２８と開口部１０ｂとの間を縛るようにしてもよい。また、針金３４の代わりに、図１１に示すように、馬蹄形状をした樹脂製の留め部材３６を用いることもできる。なお、このような留め部材は馬蹄形状に限らず、その他の形状でもよく、例えば樹脂製の板に切り込みを入れたものでもよい。
【００２６】
次に、本発明の第２実施形態を図１２〜図１６を参照して説明する。なお、前記第１実施形態と同じ部位には同じ符号を付し、説明を省略する。また、以下に示す符号ｓｔ２３，２５，２６は、図１６のフローチャートに示すステップ番号であり、前記第１実施形態と同じ行程は、図８のフローチャートと同じステップ番号を用いている。図１２に示すように、包装体４０は、クリップ２４を用いる代わりに、第１領域２６と第２領域２８との境界部を熱シールすることにより、包装体４０の幅方向に長い帯状の第２仕切り４２を形成する（ｓｔ２３）。
【００２７】
前記第２仕切り４２の長さは、包装体４０の幅よりは短く、緩衝部１８，１９まで仕切るものではない。なお、前記第２仕切り４２の形成は、パイプ４４を物品収納部１７に挿入して、第１領域２６から空気を吸い出しながら行なうので、第１領域２６がほぼ真空状態となり、第１領域２６内でデジタルカメラ２２がガタつくことがなく安定して保持される。
【００２８】
前記第２仕切り４２を形成した後、図１３に示すように、バッテリ充電器３０を第２領域２８に挿入する（ｓｔ４）。そして、パイプ４４を物品収納部１７に挿入して第２領域２８から空気を吸い出しながら、かつ緩衝部１８，１９にパイプ２９をそれぞれ挿入して緩衝部１８，１９に空気を注入しながら、図１４に示すように、第２領域２８の上方部を熱シールして包装体４０の幅全体に帯状の第３仕切り４３を形成し、第２領域２８及び緩衝部１８，１９を密閉する（ｓｔ２５）。
【００２９】
この後、前記第３仕切り４３より上部の余り部４９を切り落とせば、図１５に示すように、包装体４０が完成する。これにより、デジタルカメラ２２とバッテリ充電器３０とが互いに干渉することなく１つの包装体４０に一緒に収納され、緩衝部１８，１９によって搬送時等に外部から受ける衝撃からデジタルカメラ２２及びバッテリ充電器３０が保護される。なお、前記余り部４９は、そのまま使用すれば、わずかながらも第２領域２８への緩衝作用を有するので、必ずしも切り落とす必要はない。また、前記余り部４９と同様に、第１仕切り１２の下方部に余り部を設けるようにしてもよい。
【００３０】
次に、本発明の第３実施形態を示す図１７において、包装体５０は、第２実施形態の包装体４０の上下に緩衝部５１，５２を設けるとともに仕切りなどにミシン目を設けたものである。包装体５０の原料となる長尺の筒状の樹脂フィルムには、予め長手方向に帯状の溶着部１４，１５とミシン目１４ａ，１５ａとが同時に施され、物品を収納する物品収納部１７と、一対の緩衝部１８，１９とが形成されている。
【００３１】
まず、長尺の筒状の樹脂フィルムを所定の長さに切断すると同時に熱シールによって第１仕切り１２を形成すると同時にミシン目１２ａを施す。次に、物品収納部１７及び緩衝部１８に空気を注入しながら第１仕切り１２から例えば幅３０ｍｍの位置に熱シールによって第２仕切り５３及びミシン目５３ａを形成し、第１仕切り１２と第２仕切り５３との間を緩衝部５１とする。
【００３２】
そして、第１領域２６の中にデジタルカメラ２２を収納した後、第１領域２６内の空気を抜きながら第２実施形態の第２仕切り４２と同様の第３仕切り５５を熱シールによって形成すると同時にミシン目５５ａを形成する。次に、第２領域２８の中にバッテリ充電器３０を収納した後、第２領域２８内の空気を抜くとともに緩衝部１８，１９に空気を注入しながら、第４仕切り５６を熱シールによって形成すると同時にミシン目５６ａを形成する。更に、第４仕切り５６の上部の物品収納部１７及び緩衝部１８，１９に空気を注入しながら第５仕切り５７を熱シールによって形成することにより、緩衝部５２を形成する。
【００３３】
このように、本第３実施形態では、左右の緩衝部１８，１９の他に、上下に緩衝部５１，５２を設けたので、内部の物品（デジタルカメラ２２，バッテリ充電器３０）をより確実に保護することができる。また、ミシン目１４ａ，１５ａ，５３ａ，５５ａ，５６ａによって、図１８に示すように、包装体４０は、デジタルカメラ２２が収納されたカメラ収納部１７ａと、バッテリ充電器３０が収納された付属品収納部１７ｂと、緩衝部１８，１９，５１，５２との６つに簡単に分離できるから、デジタルカメラ２２，バッテリ充電器３０の取り出しが容易にできる。
【００３４】
次に、本発明の第４実施形態を示す図１９，図２０において、包装体６０は、第１実施形態の帯状の溶着部１４，１５の代わりに、波線状の溶着部６１，６２を設けたものである。これにより、物品収納部６３にデジタルカメラ２２を収納した際のガタつきをより減少させることができる。また、符号６４，６５は、第１実施形態と同様の緩衝部である。
【００３５】
図２０に示すように、第１領域６７と第２領域６８との仕切り、第２領域６８の密閉は、第１実施形態と同様に、クリップ２４で行なうが、第２，３実施形態と同様に、熱シールによって行なってもよい。なお、第２，３実施形態では、物品収納部から空気を吸い出しながら仕切りの作成を行なったが、本実施形態では、波線状の溶着部６１，６２によってデジタルカメラ２２及びバッテリ充電器３０のガタつきが少なくなるから、物品収納部６３から空気を吸い出す作業を省略してもよい。
【００３６】
次に、本発明の第５実施形態を図２１〜図２５を参照して説明する。なお、前記第１〜３実施形態と同じ部位には同じ符号を付し、説明を省略する。また、以下に示す符号ｓｔ３１，３２，・・・は、図２５のフローチャートに示すステップ番号である。図２１に示すように、包装体７０は、筒状の内袋７１と、これよりも径が大きく、内袋７１を内側に収納する筒状の外袋７２とからなる。内袋７１の開口部７１ａの端と外袋７２の開口部７２ａの端とを重ね合わせ、これらを一緒に熱シールすることにより、帯状の第１仕切り７３を形成して開口部７１ａ，７２ａを閉じる（ｓｔ３１）。なお、前記開口部７１ａの端と開口部７２ａの端とを必ずしも重ね合わせる必要はなく、第１仕切り７３の下方部に余り部を設けるようにしてもよい。
【００３７】
内袋７１の開口部７１ｂからデジタルカメラ２２を内袋７１の中に挿入した後（ｓｔ３２）、パイプ４４を開口部７１ｂから内袋７１の内側に挿入して内袋７１内の空気を吸い出しながら、図２２に示すように、デジタルカメラ２２の上方部を包装体７０の幅方向に外袋７２の外側から内袋７１ごと帯状に熱シールすることにより、第２仕切り７４を形成する（ｓｔ３３）。この第２仕切り７４によって区切られた第１領域７６はほぼ真空になるため、デジタルカメラ２２は内袋７１内に安定して保持される。
【００３８】
また、前記第２仕切り７４の長さは、内袋７１の幅よりは長く、外袋７２よりは短いので、内袋７１は仕切るが、外袋７２を完全には仕切ってはいない。このため、内袋７１と外袋７２との隙間から空気を入れると、デジタルカメラ２２が収納された第１領域７６の周囲に空気を入れることができる。
【００３９】
図２３に示すように、バッテリ充電器３０を内袋７１の中に入れた後（ｓｔ３４）、パイプ２９を内袋７１と外袋７２との隙間に挿入するとともに、パイプ４４を開口部７１ｂから内袋７１の中に挿入する。そして、パイプ２９によって内袋７１と外袋７２との隙間に空気を注入すると同時にパイプ４４によってバッテリ充電器３０を収納した第２領域８１から空気を吸い出しながら、バッテリ充電器３０の上方部を包装体７０の幅方向に外袋７２の外側から内袋７１ごと帯状に熱シールする。これにより、図２４に示すように、第３仕切り８３を形成して開口部７１ｂ，７２ｂを完全に閉じる（ｓｔ３５）。
【００４０】
このように、デジタルカメラ２２，バッテリ充電器３０は、内袋７１内の第１領域７６，第２領域８１でそれぞれ安定して保持されるとともに、内袋７１の周囲３６０°は、外袋７２との隙間に封入された空気が緩衝効果を有するクッションとなって保護される。なお、本実施形態では、熱シールした部分にミシン目を設けなかったが、上記第３実施形態と同様に、第２仕切り７４などにミシン目を設けてもよい。
【００４１】
次に、本発明の第６実施形態を図２６〜図３２を参照して説明する。なお、前記第１〜４実施形態と同じ部位には同じ符号を付し、説明を省略する。また、以下に示す符号ｓｔ４１，４２，・・・は、図３２のフローチャートに示すステップ番号である。図２６に示すように、包装体９０は、筒状の内袋９１と、これよりも径が大きく、内袋９１を内側に収納する筒状の外袋９２とからなる。内袋９１には、長手方向の中間部と、一方の開口部９１ａの近傍とに、それぞれ周知の第１，第２ファスナー９４，９５が設けられている。また、第１ファスナー９４の両端部近傍の各上方部（開口部９１ａ側）には、周囲が熱シールされた一対の切欠き９７が設けられている。
【００４２】
内袋９１を開口部９２ａから外袋９２の中に挿入し、内袋９１の開口部９１ｂの端と外袋９２の開口部９２ｂの端とを重ね合わせ、これらを一緒に熱シールすることにより、図２７に示すように、帯状の第１仕切り９８を形成して開口部９１ｂ，９２ｂを閉じる（ｓｔ４１）。なお、必ずしも開口部９１ｂの端と外袋９２の開口部９２ｂの端とを重ね合わせて熱シールする必要はなく、第１仕切り９８の下方部に余分な部分（余り部）を設けるようにしてもよい。
【００４３】
内袋９１の開口部９１ａからデジタルカメラ２２を内袋９１の中に挿入した後（ｓｔ４２）、パイプ４４を開口部９１ａから内袋９１の内側に挿入して内袋９１内の空気を吸い出しながら、図２８に示すように、第１ファスナー９４近傍の上方部を第１ファスナー９４の長手方向に沿って帯状に外袋９２の外側から熱シールすることによって内袋９１ごと溶着し、第２仕切り１００を形成する（ｓｔ４３）。また、これと同時に、第２仕切り１００には、ミシン目１００ａが形成される。この第２仕切り１００によって区切られた第１領域９９がほぼ真空になるため、デジタルカメラ２２は第１領域９９内に安定して保持される。
【００４４】
前記第２仕切り１００の長さは、内袋９１の幅よりも長く、かつ外袋９２の幅よりも短い。これにより、内袋９１は第２仕切り１００によって全幅が仕切られるが、外袋９２は中央部のみが仕切られる。また、前記第２仕切り１００の両端部は、前記切欠き９７の最奥端部よりもやや上方に外れた位置にそれぞれ形成される。
【００４５】
次に、図２９に示すように、バッテリ充電器３０を内袋９１の中に挿入してから（ｓｔ４４）、パイプ４４を開口部９１ａから内袋９１の内側に挿入して内袋９１内の空気を吸い出すとともに、パイプ２９にて内袋９１と外袋９２との隙間に空気を注入しながら、図３０に示すように、内袋９１の端部と外袋９２の内面とが一体的に溶着されるように所定幅（例えば幅５ｍｍ）で熱シールすることにより第３仕切り１０４を形成し、同時にミシン目１０４ａを形成する（ｓｔ４５）。これにより、第２領域１０２がほぼ真空になり、バッテリ充電器３０は、第２領域１０２内に安定して保持される。
【００４６】
このように構成された包装体９０は、内袋９１の上下端部（開口部９１ａ，９１ｂの各端部）が、外袋９２の上下端部（開口部９２ａ，９２ｂの各端部）に固定されるとともに、内袋９１の内部がほぼ真空状態にされ、かつ内袋９１と外袋９２との間に空気が封入されている。これにより、図３１に示すように、内袋９１の外面と外袋９２の内面とは、前記上下端部を除いて全て離間しており、内袋９１と外袋９２との間に封入された空気１０６がクッションとなって、内袋９１内に収納されたデジタルカメラ２２やバッテリ充電器３０が外部からの衝撃から保護される。
【００４７】
前記ミシン目１００ａにより包装体９０は、容易に２つに分離できる。この後、切欠き９７から内袋９１を開けば、第１領域９９からデジタルカメラ２２を取り出すことができる。また、ミシン目１０４ａで包装体９０の上方部を破断してから第２ファスナー９５の上方部を開けば、バッテリ充電器３０を取り出すことができる。
【００４８】
なお、第２ファスナー９５の上方部にも、前記切欠き９７と同様の切欠きを設けておくことが望ましい。また、包装体９０を分解した後、第１領域９９側の内袋９１は、第１ファスナー９４付きの袋として、また第２領域１０２側の内袋９１は、第２ファスナー９５付きの袋として、それぞれデジタルカメラ２２やその付属品などを収納するのに便利に再利用できる。
【００４９】
また、本実施形態では、第１仕切り９８を形成してからデジタルカメラ２２を収納し、第２仕切りを形成してからバッテリ充電器３０を収納し、最後に第３仕切りを形成したが、本発明はこれに限定されることなく、例えば図３０を逆さまにして、仕切りの形成及び製品等の収納の順序を逆にしてもよい。これを具体的に説明すると、まず第２ファスナー９５を予め閉じておき、内袋９１を外袋９２の中に挿入した後、第３仕切り１０４を形成する。次に、第２領域１０２にバッテリ充電器３０を収納してから、第２領域１０２内の空気を吸い出しながら第２仕切り１００を形成して第２領域１０２を閉じる。次に、第１領域９９にデジタルカメラ２２を収納してから、第１領域９９内の空気を吸い出しつつ、内袋９１と外袋９２との隙間に気体（空気など）を注入しながら、第１仕切り９８を形成して開口部９１ｂ，９２ｂを同時に閉じる。なお、この場合、第２領域１０２にデジタルカメラ２２、第１領域９９にバッテリ充電器３０を収納してもよい。
【００５０】
以上説明した実施形態では、仕切りを作成する際に「空気を吸い出しながら」としたが、本発明はこれに限定されることなく、例えば「空気を吸い出した後」でもよい。これは、厳密に言えば、空気を吸い出してから仕切りを作成するまでに時間がかかると、物品が収納された領域に空気が戻ってしまうが、実際の大量生産ラインでは、「物品の投入」と「仕切りの作成」が連続して高速に行なわれるため、全くと云っていい程、物品の保持に影響がないからである。
【００５１】
また、上記実施形態では、包装体の仕切りを中央部の１個として２個の物品（製品であるデジタルカメラと、製品の付属品であるバッテリ充電器）を収納したが、本発明はこれに限定されることなく、例えば仕切りを２個や３個として、３個や４個の物品を収納してもよい。また、ぶつかり合っても互いに損傷するような不都合なことが発生しない、例えばコード類とバッテリ、パック化された乾電池（４本パックの乾電池）などについては、１つの領域内に一緒に収納してもよい。
【００５２】
また、上記実施形態では、１個の包装体に収納する物品を「製品」（デジタルカメラ）と「その付属品」（バッテリ充電器）としたが、本発明はこれに限定されることなく、「製品」（例えば小型プリンタ）と「その消耗品」（例えばインクカートリッジ）としてもよい。また、上記実施形態では、１個の包装体に収納する物品を互いに関連して種類が異なるもの，例えばデジタルカメラとバッテリ充電器としたが、本発明はこれに限定されることなく、同じ種類の物品，例えば「携帯電話」を複数個収納するようにしてもよい。
【００５３】
また、上記実施形態では、緩衝部に注入する緩衝剤として「空気」を用いたが、本発明はこれに限定されることなく、例えば「不活性ガス」などの気体の他、「ゲル状物質」や「液体」、またクッション性を有する「固体」など、緩衝効果を有するものであればどのようなものでも使用できる。
【００５４】
また、上記実施形態では、「シール」として加熱・加圧することによって樹脂フイルムを溶着する「熱シール」を用いたが、本発明はこれに限定されることなく、例えば接着剤や粘着テープなどによる「接着」を用いてもよい。また、上記実施形態では、仕切りにミシン目を形成したが、ミシン目の代わりに、仕切りを少し間を開けて２本形成し、この２本の仕切りの間を切断するようにしてもよい。
【００５５】
また、包装体は、樹脂フィルムから形成したが、それ自体にクッション性を有する薄手の発砲素材などを用いてもよい。また、上記第６実施形態では、内袋のみに切欠きを形成したが、本発明はこれに限定されることなく、例えば内袋と外袋の両方に切欠きを形成してもよい。また、ファスナーを図面の上方部側に設けたが、下方部側，すなわち第１ファスナー９４を第１仕切り９８の近傍に設け、第２ファスナー９５を第２仕切り１００の上側の近傍に設けるようにしてもよい。
【００５６】
また、上記第１，第２実施形態では、包装体を長尺の筒状の樹脂フィルムを必要な長さに切断してから両脇を熱シールして緩衝部を作成したが、本発明はこれに限定されることなく、例えば、予め物品収納部と緩衝部とを有する筒状の包装体シートを長尺に形成し、これをロール形態に巻き取っておいてもよい。使用に際しては、ロール包装体から包装体シートを引き出して、底となる第１仕切り（物品収納部と緩衝部に形成される）を入れて、物品としての製品を投入する。次に、この製品投入部から空気を抜いて第２仕切り（物品収納部のみの仕切り）を形成する。次に、物品としての付属品を投入した後、この部分の空気を抜くとともに緩衝部に空気を注入して、第３仕切りを形成し、包装体を密封すると同時に空気の入った緩衝部を形成する。なお、前記包装体シートを水平な台に載置して、製品や付属品を包装体シート内に挿入してから、第１〜第３仕切りを形成してもよい。
【図面の簡単な説明】
【００５７】
【図１】本発明の第１実施形態である包装体を示す説明図である。
【図２】包装体にデジタルカメラを収納した状態を示す説明図である。
【図３】クリップを示す説明図である。
【図４】クリップで第１領域と第２領域とを仕切った状態を示す説明図である。
【図５】第２領域にバッテリ充電器を収納した状態を示す説明図である。
【図６】第２領域をクリップで閉じた状態を示す説明図である。
【図７】図２に示す包装体を上方から見た説明図である。
【図８】第１実施形態の主なシーケンスを示すフローチャートである。
【図９】第１実施形態よりも緩衝部を大きくした例を示す説明図である。
【図１０】クリップの代わりに針金を用いた例を示す説明図である。
【図１１】クリップの代わりに用いる留め部材の例を示す説明図である。
【図１２】熱シールにて仕切りを形成する本発明の第２実施形態の包装体を示す説明図である。
【図１３】包装体にデジタルカメラ及びバッテリ充電器を収納した状態を示す説明図である。
【図１４】熱シールにて開口部を閉じた状態を示す説明図である。
【図１５】余り部を切除した状態を示す説明図である。
【図１６】第２実施形態の主なシーケンスを示すフローチャートである。
【図１７】ミシン目を設けた本発明の第３実施形態を示す説明図である。
【図１８】図１７に示す包装体をミシン目で分割した状態を示す説明図である。
【図１９】溶着部を波線状とした第４実施形態の包装体を示す説明図である。
【図２０】図１９に示す包装体をクリップで仕切った状態を示す説明図である。
【図２１】内袋と外袋からなる本発明の第５実施形態の包装体を示す説明図である。
【図２２】図２１に示す包装体に熱シールにて仕切りを形成した状態を示す説明図である。
【図２３】デジタルカメラ及びバッテリ充電器を収納した状態を示す説明図である。
【図２４】第２領域の上方部を第１仕切りで閉じた状態を示す説明図である。
【図２５】第５実施形態の主なシーケンスを示すフローチャートである。
【図２６】内袋にファスナーを設けた本発明の第６実施形態の包装体を示す説明図である。
【図２７】内袋と外袋の一方の開口部近傍を重ねて熱シールにて閉じた状態を示す説明図である。
【図２８】第１領域の上方部に仕切りを形成した状態を示す説明図である。
【図２９】バッテリ充電器を収納した後の状態を示す説明図である。
【図３０】外袋の開口部を熱シールにて閉じた状態を示す説明図である。
【図３１】第１領域を含む面で内袋と外袋を破断した様子を示す端面図である。
【図３２】第６実施形態の主なシーケンスを示すフローチャートである。
【符号の説明】
【００５８】
１０，４０，５０，６０，７０，９０  包装体
１２，５３，７３，９８  第１仕切り
１４，１５，６１，６２  溶着部
１４ａ，１５ａ，５３ａ，５５ａ，５６ａ，１００ａ，１０４ａ  ミシン目
１７，６３  物品収納部
１７ａ  カメラ収納部
１７ｂ  付属品収納部
１８，１９，５１，５２，６４，６５  緩衝部
２２  デジタルカメラ
２４  クリップ
２６，６７，７６，９９  第１領域
２８，６８，８１，１０２  第２領域
２９，４４  パイプ
３０  バッテリ充電器
３４  針金
３６  留め部材
４２，５３，７４，１００  第２仕切り
４３，５５，８３，１０４  第３仕切り
４９  余り部
５６  第４仕切り
５７  第５仕切り
７１，９１  内袋
７２，９２  外袋
９４  第１ファスナー
９５  第２ファスナー
９７  切欠き
１０６  空気
【図１】
2008074451.tif 000003
【図２】
2008074451.tif 000004
【図３】
2008074451.tif 000005
【図４】
2008074451.tif 000006
【図５】
2008074451.tif 000007
【図６】
2008074451.tif 000008
【図７】
2008074451.tif 000009
【図８】
2008074451.tif 000010
【図９】
2008074451.tif 000011
【図１０】
2008074451.tif 000012
【図１１】
2008074451.tif 000013
【図１２】
2008074451.tif 000014
【図１３】
2008074451.tif 000015
【図１４】
2008074451.tif 000016
【図１５】
2008074451.tif 000017
【図１６】
2008074451.tif 000018
【図１７】
2008074451.tif 000019
【図１８】
2008074451.tif 000020
【図１９】
2008074451.tif 000021
【図２０】
2008074451.tif 000022
【図２１】
2008074451.tif 000023
【図２２】
2008074451.tif 000024
【図２３】
2008074451.tif 000025
【図２４】
2008074451.tif 000026
【図２５】
2008074451.tif 000027
【図２６】
2008074451.tif 000028
【図２７】
2008074451.tif 000029
【図２８】
2008074451.tif 000030
【図２９】
2008074451.tif 000031
【図３０】
2008074451.tif 000032
【図３１】
2008074451.tif 000033
【図３２】
2008074451.tif 000034